(57)【要約】      （修正有） 【課題】燭台より転倒し難く安定した載置状態が得られると共に、ロウソク灯火の照明効果を阻害することなく風防も可能な構成を備えた燭台の提供。【解決手段】燭台１において、ロウソク底部孔に差し込まれる差込突起部６によりロウソク１０を支持する略盤状台座２と、該台座の外縁の部分領域に亘ってほぼ垂直上方に立ち上がるように一体的にまたは着脱可能に延設された背面壁部３と、を備えたものとした。【選択図】図１
0003121390.tif 000002
【実用新案登録請求の範囲】
【請求項１】
ロウソク底部孔に差し込まれる差込突起部によりロウソクを支持する略盤状台座と、該台座の外縁の部分領域に亘ってほぼ垂直上方に立ち上がるように一体的にまたは着脱可能に延設された背面壁部と、を備えていることを特徴とする燭台。
【請求項２】
前記差込突起部は、前記台座上に載置される別体の支持部材からなることを特徴とする請求項１に記載の燭台。
【請求項３】
前記背面壁部は、ロウソク灯火の光を透過させる開口孔を一つ以上有することを特徴とする請求項１または２に記載の燭台。
【請求項４】
前記台座の外周縁形状が円形状であることを特徴とする請求項１に記載の燭台。
【考案の詳細な説明】
【技術分野】
【０００１】
本考案は、例えば仏壇等に置いて使用される燭台に関するものである。
【背景技術】
【０００２】
仏壇や神棚で灯されるロウソクは、通常、その底部中央の孔を燭台の突起部に差し込んで燭台上に支持されている。しかし、燭台は風や振動で転倒したり、なびいた炎が周囲の可燃物に移って火事の原因となる危険性がある。特に、一般的な燭台は、ロウソクが差し込まれる支持台部分が細長い足部上にあって細長く、小さい外力の作用でも倒れやすい形態を有していることに加え、仏壇占有空間を大きくとれないという住宅事情から小さい仏壇しか置けないで仏具載置領域も狭くなっている現状では、燭台周辺も空間的余裕が無くさらに燭台のロウソクからの出火を招きやすい。
【０００３】
このような転倒、出火を回避するために、例えば、ロウソクを燭台ごと覆う風防用のカバーを利用することもあった（例えば、特許文献１参照。）。
【０００４】
【特許文献１】特開２００３−２３５７１７
【考案の開示】
【考案が解決しようとする課題】
【０００５】
しかしながら、上記のようなカバーで燭台とロウソクを覆う構成の場合、ロウソク交換時の取り外し等に手間が掛かったり、使用しない間の載置場所が必要であるだけでなく、カバーした状態でロウソクに火を灯すのはあまり容易ではなく、扱いが煩雑で面倒である。また、カバーは燭台およびロウソクの外形状に応じた縦長形状となるため、カバーも燭台ごと倒れ易いという問題があった。
【０００６】
本考案の目的は、上記問題点に鑑み、従来の燭台より転倒し難く安定した載置状態が得られると共に、ロウソク灯火の照明効果を阻害することなく風防も可能な構成を備えた燭台を提供することにある。
【課題を解決するための手段】
【０００７】
上記目的を達成するため、請求項１に記載の考案に係る燭台は、ロウソク底部孔に差し込まれる差込突起部によりロウソクを支持する略盤状台座と、該台座の外縁の部分領域に亘ってほぼ垂直上方に立ち上がるように一体的にまたは着脱可能に延設された背面壁部と、を備えているものである。
【０００８】
請求項２に記載の考案に係る燭台は、請求項１に記載の燭台において、前記差込突起部は、前記台座上に載置される別体の支持部材からなるものである。
【０００９】
請求項３に記載の考案に係る燭台は、請求項１または２に記載の燭台において、前記背面壁部は、ロウソク灯火の光を透過させる開口孔を一つ以上有するものである。
【００１０】
請求項４に記載の考案に係る燭台は、請求項１に記載の燭台において、前記台座の外周縁形状が円形状であることを特徴とするものである。
【考案の効果】
【００１１】
本考案による燭台においては、台座の外縁の部分領域に亘ってほぼ垂直上方に立ち上がるように延設された背面壁部が台座上に支持されたロウソクの周囲を所定領域に亘って囲み風防として機能するものであるため、ロウソクの火が主に背面側の周囲にある可燃性の仏具、仏壇を焦がしたり火が移って出火の原因となる危険が回避されると共に、この背面壁部で囲まれない領域も確保されるため、ロウソクの交換や火を灯す作業が背面壁部を着脱するという煩雑な手間を必要とせず容易に行うことができるという効果がある。
【考案を実施するための最良の形態】
【００１２】
本考案の燭台は、ロウソクを盤状台座上に差込突起を介して支持するものであるため、細長い足部上に支持台がある従来の燭台に比べて転倒し難く、格段に安定性の高いものである。
【００１３】
さらに、本考案の燭台は、台座の外縁の部分領域に亘ってほぼ垂直上方に立ち上がる背面壁部が延設されているため、この背面壁部が台座上に支持されたロウソクの周囲を所定領域に亘って囲み風防として機能し、ロウソクの火が布製打敷や背面側の可燃性の仏具、仏壇を焦がしたり火が移って出火の原因となる危険も回避される。しかも、この背面壁部は台座の外縁の部分領域に亘って設けられており、またロウソクを囲まない開放領域も確保されるため、その開放領域を利用して、ロウソクの交換や火を灯す作業を背面壁部の着脱という煩雑な手間を必要とせずに容易に行うことができる。
【００１４】
このような背面壁部が設けられる台座外縁の領域の設定は、例えばロウソク装着状態にて後方の仏壇等に対して少なくともロウソクの火を風による揺らぎ範囲を含み充分遮ることのできる幅領域とする。もちろん、ロウソクの火に対するより確実な防風効果を得るために、台座外縁に対してより広い領域に亘って背面壁部を形成し、ロウソクの周囲をできるだけ覆う形状としてもよい。
【００１５】
従って、背面壁部は、台座に対して同一部材で一体的に形成することができる。この場合、台座と背面壁部とのいずれか一方が紛失することもなく扱いが容易であり、また燭台を構成する部材数が少なくて済むと共にまた着脱のための特別な手段を設ける必要がないため製造が容易でその分製造コストを抑えることができる。
【００１６】
逆に、台座に対して背面壁部を着脱可能な構成とすれば、背面部材を台座とは異なる種々の材質で様々な形態のものを製作できるため、使用者の好みに応じて交換可能とし、多様なデザイン性を楽しむことができる。
【００１７】
また、ロウソクを支持するための差込突起部は、台座上に一体的に形成してもかまわないが、台座とは別体の支持部材から構成してもよい。この場合、支持部材は使用時には台座上に載置されてロウソクを支持するが、垂れたロウが支持部材の突起部が形成されている基板上のみに付着するものとすれば、台座側は汚れることなく使用後にその支持部材だけ台座から外して洗浄すれば良く、メンテナンスが簡便に行える。
【００１８】
さらに、背面壁部には各種装飾を施すことができるが、例えば、ロウソク灯火の光を透過させる開口孔を一つ以上形成するという構成が挙げられる。この開口孔によって、背面壁部で遮られてしまうロウソクの灯が背面側へもれ出て照明効果を補うことができるだけでなく、その漏れ出る光が光明、後光を感じさせて背面壁部が光背のように象られるという効果も期待できる。なお、この開口孔に透光性の高い和紙やレンズ等を嵌め込めば、このような幽玄な雰囲気をより効果的に演出することもできる。
【００１９】
また、台座の形状としては、さまざまなものが考えられるが、最もスペース的に効率が良いのは台座上方からの平面視で外周縁形状を円形状としたものである。この場合、背面壁部も円形台座外縁の所定円弧状領域に沿って湾曲したものとなる。またその形成領域は、台座外縁の円周の１／３から半円周程度の範囲であれば、台座後方の可燃物に対してロウソクの火を充分遮り防火効果が発揮される。さらなる風防効果を得るために、台座外縁の半円周以上の領域に亘って背面壁部を形成しても良いが、この際、ロウソクの交換や火を灯す等の作業に支障を生じない程度の領域が残されるようにする。
【００２０】
また、台座の外周縁形状は、円形に限らず、例えば、三角形状、四角形状、それ以上の多角形状や楕円形状、また、雲形等の非対称な任意の形状など、様々な形状が考えられる。従って、上記のような開口孔も、台座形状および背面壁部の形状、面積等に応じて、適宜孔の数やその配置、分散位置を決定すれば良い。
【実施例】
【００２１】
本考案の一実施例として、差込突起部が台座とは別体の支持部材に設けられている燭台を図１の概略構成図に示す。図１（ａ）は、支持部材が台座から外された状態を示す全体斜視図、（ｂ）は、支持部材が台座上に載置された状態を示す全体斜視図、（ｃ）は、ロウソク装着状態を示す全体斜視図である。
【００２２】
本実施例による燭台１は、外周縁形状が円形の盤状台座２と、該台座２の外縁のほぼ半円周領域から一体的に垂直上方へ立ち上がって延設された湾曲した背面壁部３と、台座３上に載置される差込突起６を備えた支持部材５とから主に構成されるものである。
【００２３】
本実施例における台座２は、従来の燭台のような細長い足部なしに載置されるものであるため、転倒し難く、格段に安定性の高いものであると共に、背面壁部３による風防効果と、後方領域を焦がしたり可燃物に火が移ったりする危険が回避される防火効果とが得られる。
【００２４】
この台座２に載置されてロウソク１０を支持するための支持部材５は、台座面に納まる円盤状の基板７の中央部にロウソク底部の穴に差し込まれる差込突起部６が形成されている。この台座２と別体の支持部材５を用いることによって、垂れたロウは基板７上に付着するだけなので、使用後は支持部材５のみを台座２上から外して簡単に洗浄することができる。
【００２５】
また、本実施例では、背面壁部３には、複数個の開口孔４が形成され、ロウソクの光が後方へ透過できる形態となっている。この開口孔４によって、後方へ漏れ出るロウソクの灯が、背面壁部３によって遮られた照明を補うと共に、後方壁面等に当たって、光明、後光等を感じさせて背面壁部３が光背を象るように、仏具として相応しい照明効果を醸し出すことができる。
【００２６】
なお、本実施例では、支持部材５を台座２と別体に設けた場合を示したが、差込突起６を台座２上に一体に突設しても良い。この場合でも、本実施例による燭台１は足部のないシンプルな形態を有しているため、洗浄等の取扱いは容易で問題ない。
【００２７】
また、上記実施例は、背面壁部３を台座２と一体に形成した例であるが、背面部材３を台座２と別体とし、着脱可能な構成としてもよい。この場合、各種異なる素材、形状のものを用意してた互いに交換可能とすれば、燭台の載置場所を仏壇に限ることなく、様々な場所でそのインテリアに応じてデザイン性を楽しむことができる。
【図面の簡単な説明】
【００２８】
【図１】本考案の一実施例による燭台の概略構成図であり、（ａ）は支持部材が台座から外された状態を示す全体斜視図、（ｂ）は支持部材が台座上に載置された状態を示す全体斜視図、（ｃ）はロウソク装着状態を示す全体斜視図である。
【符号の説明】
【００２９】
１：燭台
２：盤状台座
３：背面壁部
４：開口孔
５：支持部材
６：差込突起部
７：基板
１０：ロウソク
【図１】
0003121390.tif 000003